(57)【特許請求の範囲】
【請求項１】
楔形挿入部材を含む、積層ガラスパネル（１）用の熱可塑性フィルム（Ｆ）であって、
・前記熱可塑性フィルム（Ｆ）は、垂直方向の下端から垂直方向の上端へ向かって、第１のセクション（Ａ１）、第２のセクション（Ａ２）および第３のセクション（Ａ３）を有しており、
・前記熱可塑性フィルム（Ｆ）は、垂直方向で少なくとも部分的に、前記熱可塑性フィルム（Ｆ）の厚さが連続的に位置に依存して非線形に変化する楔角度プロフィルを有しており、
・前記第１のセクション（Ａ１）は、透過時の二重像を回避するために、一定の又は少なくとも部分的に位置に依存して変化する楔角度が形成されるように構成されており、
・前記第２のセクション（Ａ２）は、前記第１のセクション（Ａ１）に接し、かつ、反射時のゴースト像を回避するために、位置に依存して変化する楔角度を有しており、前記第２のセクション（Ａ２）内の各位置での楔角度は、当該位置から前記熱可塑性フィルム（Ｆ）の下端までの距離の関数によって表され、該関数は、２次以上の次数の関数で近似され、前記第２のセクション（Ａ２）は主としてヘッドアップディスプレイのゴースト像を最小化し、
・前記第３のセクション（Ａ３）は、前記第２のセクション（Ａ２）に接し、かつ、透過時の二重像を回避するために、一定の又は少なくとも部分的に位置に依存して変化する楔角度が形成されるように構成されており、前記第３のセクション（Ａ３）の楔角度は、実質的に、前記第１のセクション（Ａ１）の下端での楔角度以上であり、
・前記第３のセクション（Ａ３）は、前記第２のセクション（Ａ２）に比べて、下縁からの距離が大きい、
熱可塑性フィルム（Ｆ）。
【請求項２】
前記熱可塑性フィルム（Ｆ）は、ポリブチレンテレフタレート（ＰＢＴ）、ポリカーボネート（ＰＣ）、ポリエチレンテレフタレート（ＰＥＴ）及びポリエチレンナフタレート（ＰＥＮ）、ポリビニルクロリド（ＰＶＣ）、ポリビニルフルオリド（ＰＶＦ）、ポリビニルブチラル（ＰＶＢ）、エチレンビニルアセテート（ＥＶＡ）、ポリアクリレート（ＰＡ）、ポリメチルメタクリレート（ＰＭＭＡ）、ポリウレタン（ＰＵＲ）及び／又はこれらの混合物及びこれらのコポリマーを含むグループから選択される少なくとも１つの物質を含む、
請求項１記載の熱可塑性フィルム（Ｆ）。
【請求項３】
前記熱可塑性フィルム（Ｆ）において、垂直方向の下縁での楔角度は、垂直方向の上縁での楔角度よりも小さい、
請求項１又は２記載の熱可塑性フィルム（Ｆ）。
【請求項４】
前記第１のセクション（Ａ１）と前記第２のセクション（Ａ２）との間に、それぞれの楔角度が前記第１のセクション（Ａ１）及び前記第２のセクション（Ａ２）への要求に応じて滑らかに変化し合う移行領域が設けられており、
前記移行領域における楔角度プロフィルは、その楔角度が、反射時のゴースト像を回避するために最適化された楔角度プロフィルと、０．２ｍｒａｄ未満だけ異なるプロフィルである、
請求項１から３までのいずれか１項記載の熱可塑性フィルム（Ｆ）。
【請求項５】
前記移行領域における楔角度プロフィルは、その楔角度が、反射時のゴースト像を回避するために最適化された楔角度プロフィルと、０．１５ｍｒａｄ未満だけ異なるプロフィルである、
請求項５記載の熱可塑性フィルム（Ｆ）。
【請求項６】
前記移行領域における楔角度プロフィルは、その楔角度が、反射時のゴースト像を回避するために最適化された楔角度プロフィルと、０．１ｍｒａｄ未満だけ異なるプロフィルである、
請求項５記載の熱可塑性フィルム（Ｆ）。
【請求項７】
前記第２のセクション（Ａ２）と前記第３のセクション（Ａ３）との間に、それぞれの楔角度が前記第２のセクション（Ａ２）及び前記第３のセクション（Ａ３）への要求に応じて滑らかに変化し合う別の移行領域が設けられており、
前記別の移行領域における楔角度プロフィルは、その楔角度が、反射時のゴースト像を回避するために最適化された楔角度プロフィルと、０．２ｍｒａｄ未満だけ異なるプロフィルである
請求項１から６までのいずれか１項記載の熱可塑性フィルム（Ｆ）。
【請求項８】
前記別の移行領域における楔角度プロフィルは、その楔角度が、反射時のゴースト像を回避するために最適化された楔角度プロフィルと、０．１５ｍｒａｄ未満だけ異なるプロフィルである、
請求項７記載の熱可塑性フィルム（Ｆ）。
【請求項９】
前記別の移行領域における楔角度プロフィルは、その楔角度が、反射時のゴースト像を回避するために最適化された楔角度プロフィルと、０．１ｍｒａｄ未満だけ異なるプロフィルである、
請求項７記載の熱可塑性フィルム（Ｆ）。
【請求項１０】
前記第２のセクション（Ａ２）において、透過時の二重像及び反射時のゴースト像に関する楔角度の最適化への要求が、近似値の形成によって求められる、
請求項１から９までのいずれか１項記載の熱可塑性フィルム（Ｆ）。
【請求項１１】
前記第２のセクション（Ａ２）における、位置に依存して変化する楔角度プロフィルが、反射時のゴースト像及び透過時の二重像の双方を低減し、
前記第２のセクションにおける楔角度プロフィルは、反射時のゴースト像を回避するために最適化された楔角度プロフィルと、０．３５ｍｒａｄ未満だけしか異ならない、
請求項１から１０までのいずれか１項記載の熱可塑性フィルム（Ｆ）。
【請求項１２】
前記第２のセクションにおける楔角度プロフィルは、反射時のゴースト像を回避するために最適化された楔角度プロフィルと、０．２５ｍｒａｄ未満だけしか異ならない、
請求項１１記載の熱可塑性フィルム（Ｆ）。
【請求項１３】
前記第２のセクションにおける楔角度プロフィルは、反射時のゴースト像を回避するために最適化された楔角度プロフィルと、０．１５ｍｒａｄ未満だけしか異ならない、
請求項１１記載の熱可塑性フィルム（Ｆ）。
【請求項１４】
前記第２のセクションにおける楔角度プロフィルは、反射時のゴースト像を回避するために最適化された楔角度プロフィルと、０．１ｍｒａｄ未満だけしか異ならない、
請求項１１記載の熱可塑性フィルム（Ｆ）。
【請求項１５】
前記熱可塑性フィルム（Ｆ）は、下縁で１ｍｍ未満の厚さを有する、
請求項１から１４までのいずれか１項記載の熱可塑性フィルム（Ｆ）。
【請求項１６】
前記熱可塑性フィルム（Ｆ）は、下縁で０．９ｍｍ未満の厚さを有する、
請求項１５記載の熱可塑性フィルム（Ｆ）。
【請求項１７】
前記熱可塑性フィルム（Ｆ）は、下縁で０．３ｍｍ超の厚さを有する、
請求項１５記載の熱可塑性フィルム（Ｆ）。
【請求項１８】
前記熱可塑性フィルム（Ｆ）は、下縁で０．６ｍｍ超の厚さを有する、
請求項１５記載の熱可塑性フィルム（Ｆ）。
【請求項１９】
積層ガラスパネル（１）であって、
・第１のガラス層（ＧＳ１）及び第２のガラス層（ＧＳ２）と、
・請求項１から１８までのいずれか１項記載の熱可塑性フィルム（Ｆ）と
を含み、
・前記熱可塑性フィルム（Ｆ）は、前記第１のガラス層（ＧＳ１）と前記第２のガラス層（ＧＳ２）との間に配置されている、
積層ガラスパネル（１）。
【請求項２０】
前記積層ガラスパネル（１）は、下端で、１ｍｍから８ｍｍまでの厚さを有する、
請求項１９記載の積層ガラスパネル（１）。
【請求項２１】
前記積層ガラスパネル（１）は、下端で、３．５ｍｍから５．３ｍｍまでの厚さを有する、
請求項１９記載の積層ガラスパネル（１）。
【請求項２２】
前記第１のガラス層（ＧＳ１）及び／又は前記第２のガラス層（ＧＳ２）は、下端で、１ｍｍから３ｍｍの範囲から選択される厚さを有する、
請求項１９から２１までのいずれか１項記載の積層ガラスパネル（１）。
【請求項２３】
前記第１のガラス層（ＧＳ１）及び／又は前記第２のガラス層（ＧＳ２）は、下端で、１．４ｍｍから２．６ｍｍの範囲から選択される厚さを有する、
請求項１９から２１までのいずれか１項記載の積層ガラスパネル（１）。
【請求項２４】
請求項１から１８までのいずれか１項記載の熱可塑性フィルム（Ｆ）を製造する方法において、
二重像の補償に必要な楔角度を、それぞれ測定によって得られた、前記積層ガラスパネルの局所的な入射角及び局所的な曲げ半径に依存して計算により求め、ここから得られる楔角度のプロフィルを決定する
ことを特徴とする方法。
【請求項２５】
少なくとも前記第２のセクション（Ａ２）において、ゴースト像の補償に必要な、種々の視点位置に対する楔角度を求め、このようにして求められた楔角度への曲線の近似によって楔角度プロフィルの関数を求める、
請求項２４記載の方法。
【請求項２６】
請求項１９から２３までのいずれか１項記載の積層ガラスパネル（１）を製造する方法であって、
・第１のガラス層（ＧＳ１）を用意するステップと、
・第２のガラス層（ＧＳ２）を用意するステップと、
・前記第１のガラス層（ＧＳ１）上に熱可塑性フィルム（Ｆ）を載置するステップと、
・前記熱可塑性フィルム（Ｆ）上に前記第２のガラス層（ＧＳ２）を載置するステップと、
・前記第１のガラス層（ＧＳ１）を前記熱可塑性フィルム（Ｆ）に接合するステップと、
・前記第２のガラス層（ＧＳ２）を前記熱可塑性フィルム（Ｆ）に接合するステップと
を含む、
積層ガラスパネル（１）を製造する方法。
【請求項２７】
請求項２４又は２５記載の方法にしたがって楔角度を決定する、
請求項２６記載の積層ガラスパネル（１）を製造する方法。
【請求項２８】
ヘッドアップディスプレイ装置であって、
積層ガラスパネル（１）のヘッドアップディスプレイ領域を照明するプロジェクタ（３）と、請求項１から１８までのいずれか１項記載の熱可塑性フィルム（Ｆ）を備えた積層ガラスパネル（１）とを有し、
前記プロジェクタ（３）は、動作時に主として第２のセクションを照明する、
ヘッドアップディスプレイ装置。
【請求項２９】
車両の積層ガラスパネル（１）のための、又は、建物の積層ガラスパネル（１）のための、又は、情報ディスプレイとしての積層ガラスパネル（１）のための、請求項１から１８までのいずれか１項記載の熱可塑性フィルム（Ｆ）の使用。
【請求項３０】
車両のヘッドアップディスプレイを表示するフロントガラスとしての積層ガラスパネル（１）のための、請求項１から１８までのいずれか１項記載の熱可塑性フィルム（Ｆ）の使用。
【請求項３１】
車両での、又は、建物での、又は、情報ディスプレイとしての、請求項１９から２３までのいずれか１項記載の積層ガラスパネル（１）の使用。
【請求項３２】
車両のヘッドアップディスプレイを表示するフロントガラスとしての、請求項１９から２３までのいずれか１項記載の積層ガラスパネル（１）の使用。
【発明の詳細な説明】
【技術分野】
【０００１】
本発明は、垂直方向でセクションごとに非線形に連続する楔形挿入部材を含む、積層ガラスパネル用の熱可塑性フィルムに関する。
【０００２】
発明の背景
積層ガラスパネルは、今日、多くの場所で、特に車両構造体において使用されている。ここでは、車両という概念は広く捉えられ、とりわけ道路走行車、航空機、船舶、農協機械又は作業機械も該当する。
【０００３】
積層ガラスパネルは他の分野においても使用されている。その例として、建物の窓ガラス及び例えば美術館などにおける情報ディスプレイ、又は、広告ディスプレイなどが挙げられる。
【０００４】
ここで、積層ガラスパネルは一般に、１つの中間層に積層された２つのガラス面を有する。各ガラス面自体は湾曲部を有してもよいが、ふつうは一定の厚さを有する。中間層は一般に、予め定められた厚さ、例えば０．７６ｍｍ厚さの熱可塑性材料、一般にポリビニルブチラルＰＶＢを含む。
【０００５】
積層ガラスパネルは一般に観察者に対して傾けられているため、二重像が生じる。こうした二重像は、入射光がふつう２つのガラス面の双方に完全には当たらず、光の少なくとも一部が最初は反射され、その後でようやく第２のガラス面に当たることに起因して発生する。
【０００６】
二重像は、特には暗いなかで、対向車両のヘッドランプなどの特に強い入射光源があると知覚されやすい。
【０００７】
こうした二重像は重大な障害となる。
【０００８】
積層ガラスパネルはしばしば、情報を表示するヘッドアップディスプレイ（ＨＵＤ）としても用いられる。この場合、投影装置により、観察者の視野に情報が入るよう、積層ガラスパネルに画像が投影される。車両分野では、投影装置は例えばインストルメンタルパネルに配置され、これにより、投影画像は、観察者に対して傾けられた積層ガラスパネルの手前側のガラス面で、観察者の方向へ反射される。
【０００９】
ただし、光の一部は積層ガラスパネルに入射し、例えば、観察者から見て奥側のガラス面と中間層との内側界面で反射され、その後、位置ずれをともなった状態で積層ガラスパネルから出射される。
【００１０】
この場合にも、表示画像に対して、ゴースト像の作用に似た作用が生じる。
【００１１】
これにより、各観察者は苛立ちを感じるし、また最悪の場合には、誤った情報を受け取るおそれがある。
【００１２】
これまで、こうした問題は、ガラス面の各表面を平行でなく一定の角度に配置することによって解決が試みられてきた。これは例えば、中間層が線形に増大及び／又は低下する厚さを有することにより達成される。車両構造体では、典型的には、機関室に近いパネルの下端に最小厚さが設定され、ルーフへ向かって厚さが線形に増大するよう、厚さが変化されている。つまり、中間層が楔形状を有するのである。
【００１３】
しかし、これまでの楔角度プロフィル（楔角度の推移）ではヘッドアップディスプレイのゴースト像を充分には最小化できないことが判明している。
【００１４】
こうした状況から出発して、本発明の課題は、二重像及びゴースト像に関する改善手段を提供することである。
【００１５】
発明の概要
この課題は、垂直方向でセクションごとに非線形に連続する楔形挿入部材を含む、積層ガラスパネル用の熱可塑性フィルムにより解決される。ここで、積層ガラスパネルは、垂直方向で見たとき、観察者の視界の下端側のほうが上端側よりも観察者から遠ざかるように配置されており、熱可塑性フィルムが設けられた積層ガラスパネルでは、この熱可塑性フィルムは２つのガラス層間に配置されている。
【００１６】
楔形挿入部材とは、一定でない厚さを有し、特に熱可塑性フィルムから成る、挿入部材を云う。当該分野ではこの呼称が通用している。ここで、楔角度とは、挿入部材の表面間の所定位置で測定される角度である。楔形挿入部材は、厚さに関して非線形の連続性を有する。楔形挿入部材又は熱可塑性フィルムは、厚さにつき非線形に連続する経過／変化を有する。線形に連続する変化とは、従来の一定の楔角度に相当する。非線形に連続する変化は、位置依存性の楔角度を有する、一定でない楔角度プロフィルから得られる。この場合、楔角度プロフィルは線形であっても非線形であってもよい。
【００１７】
「セクションごとに」とは、上述したプロフィルが挿入部材の少なくとも１つの部分に該当することを意味する。特に、挿入部材は、楔角度プロフィルの経過において区別される複数のセクションを有することができる。
【００１８】
熱可塑性フィルムは、垂直方向で少なくともセクションごとに連続する非線形の楔角度プロフィルを有しており、この非線形の楔角度プロフィルは、透過時のゴースト像を回避するための、一定の又は少なくともセクションごとに可変の楔角度を有する第１のセクションを有しており、非線形の楔角度プロフィルはさらに、第１のセクションに接し、かつ、反射時のゴースト像を回避するための可変の楔角度を有する第２のセクションを有しており、下端から上端へ向かう楔角度は下端までの距離もしくは上端までの距離の関数であり、この関数は少なくとも２次の関数であり、第２のセクションが主としてヘッドアップディスプレイのゴースト像を最小化し、楔角度プロフィルはさらに、第２のセクションに接し、かつ、透過時のゴースト像を回避するために一定の又は少なくともセクションごとに可変の楔角度を有する第３のセクションを有しており、この第３のセクションの楔角度は、実質的に第１のセクションの下端の楔角度以上である。
【００１９】
本発明の一実施形態では、熱可塑性フィルムは、ポリブチレンテレフタレートＰＢＴ、ポリカーボネートＰＣ、ポリエチレンテレフタレートＰＥＴ及びポリエチレンナフタレートＰＥＮ、ポリビニルクロリドＰＶＣ、ポリビニルフルオリドＰＶＦ、ポリビニルブチラルＰＶＢ、エチレンビニルアセテートＥＶＡ、ポリアクリレートＰＡ、ポリメチルメタクリレートＰＭＭＡ、ポリウレタンＰＵＲ及び／又はこれらの混合物及びこれらのコポリマーを含むグループから選択される少なくとも１つの物質を含む。
【００２０】
本発明のさらなる実施形態によれば、垂直方向で見たときの下縁での楔角度が上縁での楔角度よりも小さい。
【００２１】
本発明の別の実施形態では、第１のセクションと第２のセクションとの間に、それぞれの楔角度が第１のセクション及び第２のセクションへの要求に応じて滑らかに変化し合う移行領域が設けられる。
【００２２】
本発明のさらに別の実施形態によれば、第２のセクションと第３のセクションとの間に、それぞれの楔角度が第２のセクション及び第３のセクションへの要求に応じて滑らかに変化し合う移行領域が設けられる。
【００２３】
熱可塑性フィルムの別の実施形態では、第２のセクションＡ２において、透過時の二重像及び反射時のゴースト像に関する楔角度の最適化への要求が近似値の形成によって求められる。この場合、補償モデルの種々のアプローチを使用可能である。
【００２４】
本発明のさらに別の実施形態によれば、第２のセクションにおける可変の楔角度プロフィルが、反射時のゴースト像及び透過時の二重像の双方を低減する。ここで、第２のセクションにおける楔角度プロフィルは、透過時のゴースト像を回避するために最適化された楔角度プロフィルと、０．３５ｍｒａｄ未満だけ、好ましくは０．２５ｍｒａｄ未満だけ、さらに好ましくは０．１５ｍｒａｄだけ、特に好ましくは０．１ｍｒａｄだけしか異ならない。
【００２５】
本発明のさらに別の実施形態では、第１のセクションＡ１と第２のセクションＡ２との間の移行領域及び／又は第２のセクションＡ２と第３のセクションＡ３との間の移行領域における楔角度プロフィルは、その楔角度が、透過時のゴースト像を回避するために最適化された楔角度プロフィルと、０．２ｍｒａｄ未満だけ、好ましくは０．１５ｍｒａｄだけ、特に好ましくは０．１ｍｒａｄだけ異なるプロフィルである。
【００２６】
本発明のさらに別の実施形態によれば、熱可塑性フィルムＦは、下縁で１ｍｍ未満の厚さ、特に０．９ｍｍ未満の厚さを有し、好ましくは下端で０．３ｍｍ超の厚さ、特に０．６ｍｍ超の厚さを有する。
【００２７】
本発明の別の一実施形態では、熱可塑性フィルムは雑音低減作用を有する。このため、フィルムの設けられた積層ガラスパネルを通した雑音の透過度が有利に低減され、これにより、周囲雑音及び走行雑音による障害を低減できる。こうした作用は、多層、例えば３層の熱可塑性フィルムにより達成でき、ここで、内側の層は、例えば高い割合で軟化剤を含むことにより、この層を包囲する外側の層よりも高い可塑性もしくは弾性を有する。
【００２８】
本発明の一実施形態では、熱可塑性フィルムは少なくとも１つの色づけ領域を有してよい。パネルの上辺に設けられるこうした色づけ領域は、例えば「シェーデッドバンド」として当業者に知られており、これによって太陽光線の眩惑による運転者の障害を低減できる。
【００２９】
熱可塑性の中間層は、本発明の一実施形態では、光線カットもしくは熱線カットの機能を有してよい。例えば、熱可塑性の中間層は、赤外線領域の反射性コーティング又はＩＲ吸収性の添加物を含むことができる。コーティングもしくは添加物は、本発明の熱可塑性フィルム上もしくはその内部に所定の楔角度で配置可能である。これに代えて、他の熱可塑性フィルム、例えばコーティングを有するＰＥＴフィルムを、熱可塑性の中間層に挿入してもよい。
【００３０】
本発明の積層ガラスパネルの一実施形態では、第１のガラス層又は第２のガラス層は、機能性コーティングを、好ましくは熱可塑性フィルムに向かう側の表面に有することができる。こうした機能性コーティングは当業者によく知られており、例えば導電性コーティング、加熱可能コーティング、ＩＲ反射性コーティング、低輻射性コーティング、反射防止コーティング、色づけコーティングなどである。
【００３１】
一実施形態では、本発明の積層ガラスパネルは、加熱機能を有する。加熱機能は、ガラス面全体又はその一部のみに設けることができる。こうした加熱機能は、例えば、熱可塑性の中間層に挿入されるワイヤによって、又は、ガラス層もしくは中間層のフィルムの一方に設けられる導電性コーティングによって、実現可能である。
【００３２】
さらに、本発明は、本発明の熱可塑性フィルムを含む積層ガラスパネル、及び、熱可塑性フィルムの製造方法もしくは積層ガラスパネルの製造方法、ヘッドアップディスプレイ装置、及び、熱可塑性フィルムの使用、並びに、熱可塑性フィルムが設けられた積層ガラスパネルの使用も提案する。
【００３３】
可変の厚さを有する本発明の熱可塑性フィルムは、雑音低減作用（いわゆる音響フィルム）を有することができる。こうしたフィルムは、典型的には少なくとも３つの層から成り、ここでは、例えば高い割合で軟化剤を含むことにより、中間層がこれを包囲する外側の層よりも高い可塑性もしくは弾性を有する。
【００３４】
積層ガラスパネルは、本発明の熱可塑性フィルムのほか、色づけ挿入部材を有してよい。こうした色づけ挿入部材は、典型的には、積層ガラスパネル／フロントガラスの上方領域に配置され、太陽光線の入射による運転者の障害もしくは眩惑を低減できる。これは一般に「シェーデッドバンド」と称されている。
【００３５】
積層ガラスパネルは、機能性コーティング、例えば、ＩＲ反射性もしくはＩＲ吸収性コーティング、ＵＶ反射性もしくはＵＶ吸収性コーティング、低輻射性コーティング、加熱可能コーティングなどを含むことができる。機能性コーティングは、好ましくは、いずれかのガラス層の、楔形挿入部材に向かう側の表面に被着することができ、そこでの腐食及び損傷が防止される。
【００３６】
積層ガラスパネルは、ガラス層間に、機能性コーティングを含む挿入フィルム、例えばポリエチレンテレフタレートＰＥＴから成る挿入フィルムを含んでよい。コーティング、例えばＩＲ反射性コーティングを有するこうしたＰＥＴフィルムは市販入手可能であるので、容易に積層ガラスパネルに導入できる。
【図面の簡単な説明】
【００３７】
本発明の実施形態を添付図に即して例示によって説明する。
【図１】透過時の二重像の発生原理を示す図である。
【図２】反射時のゴースト像の発生原理を示す図である。
【図３】楔形挿入部材を含む積層ガラスパネルの構造の例を示す図である。
【図４】透過時の二重像を補償するための楔角度プロフィルの例を示す図である。
【図５】ＨＵＤディスプレイに対する種々の視点位置の関係を示す配置例の図である。
【図６】種々の視点位置に対応するＨＵＤ領域の種々の頂点に対して求められた楔角度値の例を示す図である。
【図７】反射時のゴースト像の補償のための楔角度プロフィルの例を示す図である。
【図８】或るセクションの透過時の二重像と別のセクションの反射時のゴースト像とを補償するための楔角度プロフィルの例を示す組み合わせ図である。
【図９】或るセクションの透過時の二重像の補償のための楔角度プロフィルを近似曲線によって置換して示す、図８と同様の組み合わせ図である。
【図１０】反射時のゴースト像を補償すべきセクションにおいて透過時の二重像の補償を付加的に考慮した、図９と同様の組み合わせ図である。
【図１１】透過時の二重像を補償すべきセクションが反射時のゴースト像の補償のための楔角度プロフィルへ適応化される移行領域を有することを示す、図８と同様の組み合わせ図である。
【図１２】積層ガラスパネルでの二重像角度の分布の例を示す図である。
【図１３】積層ガラスパネルのＨＵＤ領域でのゴースト像から所望のＨＵＤ画像までの距離の分布の例を示す図である。
【００３８】
図に即した本発明の詳細な説明
図１には、透過時の二重像の発生原理がビーム像によって示されている。ここでは、湾曲したパネル１が想定されている。湾曲したパネルは、ビームが湾曲したガラスパネル１へ入射する位置に、所定の曲率半径Ｒ＋Ｄを有する。光源３から光が放射される。当該光は、パネルに入射し、よく知られた屈折の法則にしたがって、空気からガラスへの移行時に第１の界面で屈折し、さらにガラスから空気への移行時に第２の界面で屈折して、観察者の目２に入射する。当該ビームは実線Ｐで示されている。観察者の視界からは、光源３が位置３’にあるように見える。このことはビームＰ’として示されている。ただし、１次ビームと称されるビームＰ以外は、ガラスから空気への第２の界面では、ビームの一部分しか上述した方式で屈折しない。僅かなビーム成分が第２の界面で反射され、第１の界面でもう一度反射された後、第２の界面をビームが通過して、観察者の目２に入射する。当該ビーム、いわゆる２次ビームは、破線Ｓで示されている。観察者の視界からは、光源３が位置３’’にあるように見える。１次ビームＰ’と２次ビームＳとのなす角度ηがいわゆる二重像角度である。
【００３９】
こうした二重像に対処するため、図１においてほぼ平行と想定される２つの界面層間に楔角度が設定されるように構成できる。
【００４０】
J.P.Aclocque, “Doppelbilder als stoerender optischer Fehler der Windschutzscheibe”, Z.Glastechn.Ber., 193(1970)の193頁から198頁によれば、二重像角度は、ガラスパネルの曲げ半径と光ビームの入射角とに依存して、次の式
η＝｛（２ｄ）／Ｒ｝・｛（ｓｉｎφ）／√（ｎ２−ｓｉｎ２φ）｝
にしたがって計算される。ここで、ηは二重像角度であり、ｎはガラス屈折率であり、ｄはガラスパネルの厚さであり、Ｒは光ビームの入射位置でのガラスパネルの曲げ半径であり、φはパネルの接面への法線に対する光ビームの入射角である。
【００４１】
各ガラス層が平坦な場合、二重像角度ηは、
η＝２・δ・｛√（ｎ２−ｓｉｎ２φ）／ｃｏｓφ｝
にしたがい、各ガラス面によって形成される楔角度δに依存する。
【００４２】
よって、上述した各式を等しいものと置くことにより、二重像の消去に必要な楔角度を
δ＝（ｄ／Ｒ）・｛（ｃｏｓφ・ｓｉｎφ）／（ｎ２−ｓｉｎ２φ）｝
と計算できる。
【００４３】
一般に、当該楔角度は、積層ガラスパネル１では、楔状の中間層Ｆを第１のガラス層ＧＳ１と第２のガラス層ＧＳ２との間に図３に示されているように挿入することで実現される。この場合、中間層Ｆの屈折率とガラス層ＧＳ１，ＧＳ２の屈折率との差がむしろ小さく、小さな差のためにほとんど作用が消えてしまうので、ふつうは簡単化のために屈折率ｎは一定と見なされる。
【００４４】
湾曲したフロントガラスにおいてもこうしたアイデアを適用できる。これに関してふつうは簡単化のために、基準視点に対する入射角及び曲げ半径が仮定され、これによって求められた楔角度がフロントガラス全体に適用される。
【００４５】
ただし、大きな積層ガラスパネル１、いわゆるパノラミックガラス、及び／又は、強く湾曲した積層ガラスパネル１では、こうしたアプローチは充分でないため、一般には、垂直方向に変化する楔角度プロフィル（楔角度の推移）が定められる。
【００４６】
この場合、例えば、積層ガラスパネルの仮想の垂直中央線に沿ったポイントごとの計算と状況に応じた補間とにより、補償楔角度プロフィル（補償楔角度の推移）δを決定することができる。
【００４７】
二重像角度η及び相応の局所的な補償楔角度δの計算のために、二重像角度を決定するテストプロトコルＥＣＥＲ４３アネックス３で推奨されているような装置を選択できる。当該装置では、運転者の頭部が垂直方向で見たときの下方位置から上方の終位置へ運動した場合に、二重像角度が求められる。つまり、運転者の視線方向はつねに水平にとどまる。また、これに代えてもしくはこれに加えて、平均して一定の運転者位置（視点）から二重像角度を計算する装置を選択することもできる。ここでは、運転者の視角はフロントガラスを通ることによって変化する。この場合、種々の計算法のバリエーションの結果を重みづけして全体結果へ転換することもできる。
【００４８】
楔角度プロフィルの一例、すなわち、エンジンフード（積層ガラスパネル１の下端）までの距離に依存した楔角度のプロフィル（推移）が、図４に示されている。この場合、上掲の式にしたがって最適化された、仮想の中央線に対する楔角度δは、まず、ここに例示されているフロントガラスでは、下端の０．１５ｍｒａｄ未満の値で始まり、エンジンフードまでの距離の増大とともに、すなわち積層ガラスパネル１の上端に接近するにつれて、０．４ｍｒａｄ超の値へ上昇する。
【００４９】
一例としてのバリエーションでは、二重像の補償に必要な楔角度は、積層ガラスパネル１の局所的な入射角度と局所的な曲げ半径とに依存して計算により求められ、そこから得られる二重像角度ηのプロフィル（推移）が決定される。例として、車両の積層ガラスパネル１に対する二重像角度ηの結果が図１２に示されている。この場合、例となる積層ガラスパネル１はｘｙ座標系にマッピングされており、水平軸は積層ガラスパネル１の中央に対する距離を表し、垂直軸は図示されていない下方平面に対する距離を表している。パネルの図示は必ずしも実際の構造に対応せず、最大限の大きさの投影面が存在するように図示されていることに注意されたい。この場合、生じた二重像角度は単位［分］で示されている。
【００５０】
ヘッドアップディスプレイに関しても、二重像現象に類似する問題が発生し、これはゴースト像と称される。
【００５１】
図２には、ビーム像に基づく反射時のゴースト像発生の基本原理が示されている。ここでは、湾曲したガラスパネル１が想定されている。湾曲したガラスパネル１は、ビームが湾曲したガラスパネル１へ入射する位置に、所定の曲率半径Ｒを有する。ヘッドアップディスプレイＨＵＤを表す光源３から光が放射される。当該光は、ビームＲｉに沿って内側から角度θでガラスパネル１に入射し、同じ角度θで再び反射される。反射されたビームＲｒは観察者の目２に入射する。当該ビーム路は実線で示されている。観察者の視界からは、光源３が仮想的に位置３’にあるように、つまり、ガラスパネル１の前方にあるように見える。このことはビームＲｖとして示されている。１次ビームのほか、別のビームも観察者の目２に入射する。後者のビームＲ’ｉも同様に光源３に由来する。ただし、このビームＲ’ｉは、良く知られた屈折法則にしたがって、ガラスパネル１の空気からガラスへの内側界面に入射し、ガラスから空気への外側界面で反射された後、内側界面を通って出射され、ビームＲ’ｒとして観察者の目２に入射する。よって、内側界面は観察者に近い側の界面、外側界面は観察者から遠い側の界面とも称される。当該ビーム路は破線で示されている。観察者の視界からは、光源３が仮想的に位置３’’にあるように、つまり、ガラスパネル１の前方にあるように見える。このことはビームＲ’ｖとして示されている。
【００５２】
この問題に対処するために、外側界面で反射されたビームＲ’ｒと内側界面で反射されたビームＲｒとの双方が観察者の目２に関して重畳されるように、つまり、外側界面で反射されたビームが内側界面に当たったビームの反射位置で出射されるように、楔角度を変化させることができる。
【００５３】
しかし、このことが従来技術で通常そうであるように唯一の視点位置に対してしか行われない場合、ここから求められた楔角度は最適な結果をもたらさない。これは特に、ヘッドアップディスプレイに主に指定されている運転者の体格及び座席位置が大きく相違するため、多数の可能な視点位置が生じることによって説明できる。このことが図５に示されている。ここでは、図５の右側には２つの可能な視点位置２，２ａが示されている。視点位置２又は２ａに依存して、像３’又は３’ａの位置が生じる。像形成の光学プロセスに関与する、パネルのヘッドアップディスプレイ内の領域ＨＵＤＢ（「アクティブ領域」）も、視点位置２，２ａに依存して定まる。モデルとして、投影像３及び仮想像３’，３’ａを全面にわたる長方形と捉えることができる。視点位置２，２ａと長方形の頂点とを結ぶ接続線が図示されている。当該接続線とパネルとの交点によって、パネルの「アクティブ領域」のモデルとなる台形の頂点が生じる。当該台形は、図では、ガラスパネル１のヘッドアップディスプレイ領域ＨＵＤＢ内に例示されている。こうして、仮想ディスプレイは、視点位置に応じて種々の箇所に生じ、相応に、あらゆる視点位置に対して、状況に応じた最適な楔角度のための値がそれぞれ生じる。また、楔角度はふつう専らゴースト像に対してしか最適化されず、二重像の過補償を生じさせるので、生じた二重像が観察者の知覚及び／又は法的なテストプロトコルの遵守及び／又は二重像に関するユーザスペックの遵守の点で再び問題となることもここで指摘しておかなければならない。
【００５４】
図６には、積層ガラスパネル１に対する種々の視点位置２ごとに、ヘッドアップディスプレイ領域ＨＵＤＢ内に生じる、上述した（「アクティブ」領域としての）台形状のヘッドアップディスプレイＨＵＤの位置が示されている。良好に区別できるよう、各台形はそれぞれ異なる線で示されている。わかりやすくするために、複数の台形に対して、各台形の頂点について求められた対応する楔角度が示されており、左側にはエンジンフードまでの相対距離が示されている。
【００５５】
良好な可視化のために、当該値は、図７においても、エンジンフードすなわち積層ガラスパネル１の下端までの距離に関連する楔角度として示されている。この場合、個々に求められた値は、２乗値としてマークされる。
【００５６】
図７に実線で例示されているように、当該値から唯一の近似曲線を求めることができる。近似曲線は１次であってもこれより高次であってもよい。
【００５７】
例示的な方法では、二重像の補償に必要な楔角度が積層ガラスパネル１の局所的な入射角及び局所的な曲げ半径に依存して計算により求められ、ここから得られる楔角度のプロフィルが決定される。例えば、図１３には、車両の積層ガラスパネル１のヘッドアップディスプレイ領域ＨＵＤＢに対して、位置ずれが知覚されるゴースト像の可能結果が示されている。こうしたヘッドアップディスプレイ領域ＨＵＤＢは、図１２のＨＵＤＢセクタに相当する。ここで、水平軸は、積層ガラスパネル１の中央線を基準とした距離に関する。垂直軸は、ヘッドアップディスプレイ領域ＨＵＤＢの最深点に関する。この場合、図では、１次ビームと２次ビームとの間隔が単位［ｍｍ］で示されている。
【００５８】
なお、多くの使用領域で、二重像及びゴースト像双方の最小化が所望される。
【００５９】
これを達成するために、本発明は、垂直方向でセクションごとに非線形に連続する楔形挿入部材を含む、積層ガラスパネル１用の熱可塑性フィルムＦを提案する。
【００６０】
典型的には、例えば車両構造体において、積層ガラスパネル１は、垂直方向で見たとき、観察者の視界の下端側のほうが上端側よりも観察者から遠ざかるように配置されている。
【００６１】
図３に関連して上述したように、本発明の熱可塑性フィルムＦは、この熱可塑性フィルムが設けられた積層ガラスパネル１において、２つのガラス層ＧＳ１，ＧＳ２間に配置されている。
【００６２】
この場合、熱可塑性フィルムＦは、図７から図９に即して後述するように、３つのセクションＡ１，Ａ２，Ａ３に分割されている。
【００６３】
この場合、熱可塑性フィルムＦは、垂直方向で少なくともセクションごとに連続する非線形の楔角度プロフィル（楔角度の推移）を有する。
【００６４】
第１のセクションＡ１では、楔角度プロフィルは、透過時の二重像を回避するように形成されている。図３によれば、当該楔角度プロフィルは、積層ガラスパネル１が車両のエンジンフードで使用される場合、下端からの距離が増大するにしたがって、一定の又は少なくともセクションごとに可変の楔角度を有する。
【００６５】
第１のセクションＡ１に接する第２のセクションＡ２では、楔角度プロフィルは、反射時のゴースト像が回避されるように形成されている。図５によれば、当該楔角度プロフィルは可変の楔角度を有しており、下端から上端へ向かう楔角度は下端までの距離もしくは上端までの距離の関数であり、この関数は少なくとも２次の関数である。なお、当該第２のセクションＡ２はここでは主としてヘッドアップディスプレイＨＵＤのゴースト像を最小化するように形成されている。
【００６６】
第２のセクションＡ２に接する第３のセクションＡ３では、楔角度プロフィルは、透過時のゴースト像が回避されるように形成されている。図３によれば、当該楔角度プロフィルは、積層ガラスパネル１が車両のエンジンフードで使用される場合、下端からの距離が増大するにしたがって、一定の又は少なくともセクションごとに可変の楔角度を有する。この場合、第３のセクションＡ３の楔角度は、実質的に、第１のセクションＡ１の下端の楔角度以上である。
【００６７】
基本的には、図８に示されているような楔角度プロフィルが望ましい。なぜなら、この場合、第１のセクションＡ１及び第３のセクションＡ３において、楔角度が例示されている積層ガラスパネル１の二重像の補償にとって最適に選択され、第２のセクションＡ２において楔角度が例示されている積層ガラスパネル１のゴースト像を補償するための視点位置の数にとって最適に選択されるはずだからである。
【００６８】
第１のセクションＡ１及び／又は第３のセクションＡ３における楔角度プロフィルが実質的に一定の楔角度を有するという可能な構成により、有利な製造コストの観点のもと、理想値から僅かに偏差するのみで、つねに満足のいく結果を得ることができる。こうした例は、第１のセクションＡ１及び第３のセクションＡ３に一点鎖線に沿った一定の楔角度が想定されている図９に見て取れる。ここでは、他のパラメータ、例えば最大楔角度又は最大楔角度変化分なども考慮できる。こうしたパラメータは、例えば、積層ガラスパネル１の厚さの変化分が最大値を超過しないように定めることができる。このようにして、例えば、第１のセクションでは、楔角度が理想的な楔角度よりも大きくなるいわゆる「過補償」が生じ、第３のセクションでは楔角度が理想的な楔角度より小さくなるいわゆる「補償不足」が生じる。
【００６９】
第２のセクションでは、主として、二重像の最小化に関する最適化が行われる。この場合にも、一般に、透過時の二重像の（過）補償が生じる。第２のセクションでは、要求に応じ、二重像の過補償を小さくする目的で、最適状態を下回るレベルのみのゴースト像の補償を行えるように構成可能である。このことは例えば図１０に示されている。この場合、典型的には中央値を形成でき、又は、他の全ての形態の重みづけを位置の関数として又はセクションＡ２全体の関数として行うことができる。
【００７０】
基本的には、第２のセクションＡ２において線形の楔角度プロフィルを使用できる。
【００７１】
第１のセクションと第２のセクションとの間での楔角度プロフィルの移行は、図９，図１０では、わかりやすくするために段状に示されている。実際には、通常時の移行は有利には連続的経過を有する。
【００７２】
ただし、特に有利には、楔角度プロフィルは、図７から図１１に示されているように、その楔角度が２次以上の次数を有する関数である。この場合、第１のセクションから第２のセクションへの移行及び第２のセクションから第３のセクションへの移行は、その勾配に小さな跳躍しか生じないように形成される。このことは、障害像のダイナミクスに対してポジティブに作用する。ここでのダイナミクスとは、頭部の運動及びこれによって生じる目２の位置の変化によってゴースト像が突然に強く発生することを意味する。誤差補償において楔角度の変化が大きくなると、こうした作用がより多く発生するようになる。
【００７３】
例示されている方法では、種々の視点位置に対する楔角度が求められ、このようにして求められた楔角度への曲線当てはめによって楔角度プロフィルの関数が求められる。
【００７４】
こうした熱可塑性フィルムＦは、ポリブチレンテレフタレートＰＢＴ、ポリカーボネートＰＣ、ポリエチレンテレフタレートＰＥＴ及びポリエチレンナフタレートＰＥＮ、ポリビニルクロリドＰＶＣ、ポリビニルフルオリドＰＶＦ、ポリビニルブチラルＰＶＢ、エチレンビニルアセテートＥＶＡ、ポリアクリレートＰＡ、ポリメチルメタクリレートＰＭＭＡ、ポリウレタンＰＵＲ及び／又はこれらの混合物及びこれらのコポリマーを含むグループから選択される少なくとも１つの物質を含むことができる。
【００７５】
この場合、熱可塑性フィルムＦの適切な材料の選択は、例えば、屈折率に関するフィルム特性と所定のフィルム厚さに関して達成可能な耐性とに依存して定めることができる。基本的に、本発明は、熱可塑性フィルムＦの所定の材料には限定されない。
【００７６】
二重像を最小化するために、ふつう車両構造体において所定の角度で使用される積層ガラスパネル１では、垂直方向で見たときの下縁での楔角度が上縁での楔角度よりも小さい楔角度プロフィルが好ましい。つまり、典型的な車両のエンジンフード近傍での楔角度が、ルーフエッジ近傍での楔角度よりも小さいことが好ましい。
【００７７】
特に有利には、図１１に示されているように、第１のセクションＡ１と第２のセクションＡ２との間に、それぞれの楔角度が第１のセクションＡ１及び第２のセクションＡ２への要求に応じて滑らかに変化し合う移行領域が設けられる。同様に有利には、図１１に示されているように、第２のセクションＡ２と第３のセクションＡ３との間に、それぞれの楔角度が第２のセクションＡ２及び第３のセクションＡ３への要求に応じて滑らかに変化し合う移行領域が設けられる。これにより、楔角度の跳躍的変化及び楔角度の増大が回避され、観察者にとって個々の領域間の移行が滑らかに感じられるようになる。さらに、ソフトな移行は、積層ガラスパネルに生じうる応力を回避することにも適している。
【００７８】
上述したように、第２のセクションＡ２の全体における楔角度プロフィルの特性は、二重像及びゴースト像の双方を最小化するための、反射の最適値から透過の最適値までの平均であると解釈できる。この場合、ゴースト像の補償の強い重みづけによってさらに充分な二重像補償が可能となる。
【００７９】
種々の視点位置を考慮できるようにするために、より大きな個数で、所定の視点位置に対するゴースト像に関する楔角度が最適化される。求められた値から、例えば図７から図１１に示されているように、楔角度プロフィルが２次以上の関数として近似される。この場合、求められた値は二重像に関する最適化の際にも引き継がれ、これにより、第２のセクションＡ２及び／又はセクションＡ１及び／又はセクションＡ３に対する近似曲線を決定することができる。
【００８０】
また、本発明の実施形態では、第２のセクションにおける楔角度プロフィルは、透過時のゴースト像を回避するために最適化された楔角度プロフィルと、０．３５ｍｒａｄ未満だけ、好ましくは０．２５ｍｒａｄ未満だけ、さらに好ましくは０．１５ｍｒａｄだけ、特に好ましくは０．１ｍｒａｄだけしか異ならない。
【００８１】
さらに、本発明の実施形態では、第１のセクションＡ１と第２のセクションＡ２との間の移行領域及び／又は第２のセクションＡ２と第３のセクションＡ３との間の移行領域における楔角度プロフィルは、その楔角度が、透過時のゴースト像を回避するために最適化された楔角度プロフィルと、０．２ｍｒａｄ未満だけ、好ましくは０．１５ｍｒａｄだけ、特に好ましくは０．１ｍｒａｄだけ異なるプロフィルである。
【００８２】
例えば、図１１では、セクションＡ１及びセクションＡ３における楔角度プロフィルは、楔角度差が約０．１５ｍｒａｄに維持されるように近似される。セクションＡ２における楔角度プロフィルも、楔角度差が下方へ向かって０．２ｍｒａｄ未満となるように選定される（つまり、下辺からの距離４００ｍｍの位置で０．５ｍｒａｄとなるのではなく、約０．５ｍｒａｄに維持される）。
【００８３】
このように、実験によって障害的でないとの印象が得られた楔角度プロフィルの形成時の偏差を考慮できるので、製造コストを最適化できる。
【００８４】
製造に際して特に有利には、本発明の熱可塑性フィルムＦは、下縁で、１ｍｍ未満の厚さ、特に０．９ｍｍ未満の厚さ、好ましくは０．３ｍｍ超の厚さ、特に０．６ｍｍ超の厚さを有する。このようにすれば、コストのかかる特別な装置を要することなく、積層ガラスパネル１の製造時にフィルムを確実に使用できる。
【００８５】
このため、積層ガラスパネル１の構造は、図３に示されているように、本発明の熱可塑性フィルムＦを第１のガラス層ＧＳ１と第２のガラス層ＧＳ２との間に設けることによっても達成可能である。
【００８６】
こうした積層ガラスパネル１は、１ｍｍから８ｍｍまでの厚さ、好ましくは３．５ｍｍから５．３ｍｍまでの厚さを有するので、従来の積層ガラスパネルと同様に容易にさらなる処理を行える。
【００８７】
ここで、積層ガラスパネル１の第１のガラス層ＧＳ１及び／又は第２のガラス層ＧＳ２は、典型的には、約１ｍｍから約３ｍｍの範囲、特に１．４ｍｍから２．６ｍｍの範囲から選択される厚さ、例えば２．１ｍｍの厚さを有する。このようにすれば、飛散防止及び／又は雑音防止に要求される特性が保証される。
【００８８】
こうして、熱可塑性フィルムＦにより、第１のガラス層ＧＳ１及び第２のガラス層ＧＳ２が設けられた積層ガラスパネル１を確実に製造できる。その際、熱可塑性フィルムＦがまず第１のガラス層ＧＳ１上に載置され、オートクレーブプロセスの使用時に熱可塑性フィルムＦ上に第２のガラス層ＧＳ２が載置される。続いて、熱可塑性フィルムＦが、オートクレーブでの熱及び圧力の作用のもとで、第１のガラス層ＧＳ１及び第２のガラス層ＧＳ２に接続される。
【００８９】
もちろん、本発明の熱可塑性フィルムＦは、オートクレーブプロセスにおいてだけでなく、例えば、真空熱処理炉プロセスその他のオートクレーブフリープロセスにおいても使用可能である。
【００９０】
また、基本的には、最初は第１のガラス層ＧＳ１のみを熱可塑性フィルムＦに載置して接続し、その後で初めて第２のガラス層ＧＳ２を載置して、これを第１のガラス層ＧＳ１に予め接続された熱可塑性フィルムＦに接続することもできる。
【００９１】
このようにして製造された熱可塑性フィルムＦは、車両の、特にヘッドアップディスプレイを表示するフロントガラスとしての積層ガラスパネル１において、又は、建物の積層ガラスパネル１において、又は、情報ディスプレイとしての積層ガラスパネル１において、使用可能である。
【００９２】
ヘッドアップディスプレイ装置での使用の例が図５に示されている。この場合、プロジェクタが、光源として、本発明の熱可塑性フィルムＦを備えた積層ガラスパネル１の例示されているヘッドアップディスプレイ領域ＨＵＤＢを照明する。ここでは、ヘッドアップディスプレイ領域ＨＵＤＢにおいてプロジェクタのゴースト像が最小化されるうえ、積層ガラスパネル１全体の（図示されていない）透過時の二重像も低減される。
【００９３】
図には一般的なものとして唯一のヘッドアップディスプレイ領域ＨＵＤＢしか示していないが、本発明はこれに限定されない。例えば、右ハンドル車及び左ハンドル車に対して、又は、例えばインフォテインメントシステム及びドライバーアシストシステムなどの異なる目的のために、複数のヘッドアップディスプレイ領域ＨＵＤＢを設けることもできる。この場合、例えば、主としてインフォテインメントのために用いられるヘッドアップディスプレイ領域ＨＵＤＢではゴースト像の最小化のみが行われ、ドライバーアシストシステムに用いられるヘッドアップディスプレイ領域ＨＵＤＢではゴースト像の最小化と二重像の最小化との双方が行われるように構成できる。
【００９４】
その結果、本発明では、複数の視点位置に対するヘッドアップディスプレイのゴースト像の最小化に関する改善が可能となり、しかもその際にヘッドアップディスプレイ領域ＨＵＤＢ外でのゴースト像が殆ど増大しない。また、本発明によれば、ヘッドアップディスプレイ領域ＨＵＤＢ及び他の領域における透過時の二重像の低減も達成可能である。さらに、本発明の提案によれば、より大きなヘッドアップディスプレイ領域ＨＵＤＢ及びより複雑なフロントガラスデザインを実現可能である。
【図１】
0006370384.tif 000002
【図２】
0006370384.tif 000003
【図３】
0006370384.tif 000004
【図４】
0006370384.tif 000005
【図５】
0006370384.tif 000006
【図６】
0006370384.tif 000007
【図７】
0006370384.tif 000008
【図８】
0006370384.tif 000009
【図９】
0006370384.tif 000010
【図１０】
0006370384.tif 000011
【図１１】
0006370384.tif 000012
【図１２】
0006370384.tif 000013
【図１３】
0006370384.tif 000014